(57)【要約】【課題】  表面に凹凸形状が形成された記録媒体において色を高精度に再現するための画像処理を提供することを目的とする。【解決手段】  記録媒体上の凹凸の凸部の上に記録する有色記録材の第１記録量と前記凹凸の凹部の上に記録する前記有色記録材の第２記録量とを決定する画像処理装置であって、第１色と、前記第１色と異なる第２色と、を表す色情報を取得する第１取得手段と、前記色情報に基づいて、前記凸部の上に記録される色と、前記凹部の上に記録される色と、の色の組み合わせを算出する算出手段と、前記色の組み合わせに基づいて、前記第１記録量と前記第２記録量との記録量の組み合わせを取得する第２取得手段と、前記記録量の組み合わせから、所定の条件に応じて１つの組み合わせを選択することによって、前記第１記録量と前記第２記録量とを決定する決定手段と、を有することを特徴とする画像処理装置。【選択図】  図７
2018182716.tif 000002
【特許請求の範囲】
【請求項１】
記録媒体上の凹凸の上に複数種類の有色記録材を記録することによって少なくとも方位角が互いに異なる２つの方向から観察した場合に異なる色が視認される画像を形成するために、前記凹凸の凸部の上に記録する前記有色記録材の第１記録量と前記凹凸の凹部の上に記録する前記有色記録材の第２記録量とを決定する画像処理装置であって、
第１色と、前記第１色と異なる第２色と、を表す色情報を取得する第１取得手段と、
前記色情報に基づいて、
前記２つの方向のうち第１方向から前記画像を観察することによって前記第１色が視認され、前記２つの方向のうち第２方向から前記画像を観察することによって前記第２色が視認される場合の、前記凸部の上に記録される色と、前記凹部の上に記録される色と、の色の第１組み合わせと、
前記第１方向から前記画像を観察することによって前記第２色が視認され、前記第２方向から前記画像を観察することによって前記第１色が視認される場合の、前記凸部の上に記録される色と、前記凹部の上に記録される色と、の色の第２組み合わせと、
を算出する算出手段と、
前記色の第１組み合わせに基づいて、前記第１記録量と前記第２記録量との記録量の第１組み合わせを取得し、前記色の第２組み合わせに基づいて、前記第１記録量と前記第２記録量との記録量の第２組み合わせを取得する第２取得手段と、
前記記録量の第１組み合わせと前記記録量の第２組み合わせとから、所定の条件に応じて１つの組み合わせを選択することによって、前記第１記録量と前記第２記録量とを決定する決定手段と、
を有することを特徴とする画像処理装置。
【請求項２】
前記色情報が表す前記第１色又は前記第２色は、前記凸部の上に記録される色と前記凹部の上に記録される色との混色によって表現される色であることを特徴とする請求項１に記載の画像処理装置。
【請求項３】
前記決定手段は、前記記録量の第１組み合わせと前記記録量の第２組み合わせとから、前記凸部の上に記録した前記有色記録材が前記凹部に流れ込まない組み合わせを選択することによって、前記第１記録量と前記第２記録量とを決定することを特徴とする請求項１又は請求項２に記載の画像処理装置。
【請求項４】
前記決定手段は、前記記録量の第１組み合わせと前記記録量の第２組み合わせとから、前記凸部の上に記録する前記有色記録材の総記録量が最も少ない組み合わせを選択することによって、前記第１記録量と前記第２記録量とを決定することを特徴とする請求項３に記載の画像処理装置。
【請求項５】
前記決定手段は、前記記録量の第１組み合わせと前記記録量の第２組み合わせとから、前記凸部の上に記録する前記有色記録材の総記録量が所定の閾値以下となる組み合わせを１つ選択することによって、前記第１記録量と前記第２記録量とを決定することを特徴とする請求項３に記載の画像処理装置。
【請求項６】
前記決定手段は、前記記録量の第１組み合わせと前記記録量の第２組み合わせとのうち前記凸部の上に記録する前記有色記録材の総記録量が所定の閾値以下となる組み合わせから、前記凸部の上に記録する前記有色記録材の総記録量が最も多い組み合わせを選択することによって、前記第１記録量と前記第２記録量とを決定することを特徴とする請求項５に記載の画像処理装置。
【請求項７】
前記決定手段は、前記記録量の第１組み合わせと前記記録量の第２組み合わせとから、前記凸部の上に記録する前記有色記録材の平均粘度が最も高い組み合わせを選択することによって、前記第１記録量と前記第２記録量とを決定することを特徴とする請求項３に記載の画像処理装置。
【請求項８】
前記平均粘度は、前記凸部の上に記録する複数種類の前記有色記録材それぞれの粘度の、前記有色記録材それぞれの記録量に応じた加重平均の値であることを特徴とする請求項７に記載の画像処理装置。
【請求項９】
前記決定手段は、前記記録量の第１組み合わせと前記記録量の第２組み合わせとから、前記凸部の上に記録する前記有色記録材の最低粘度が最も高い組み合わせを選択することによって、前記第１記録量と前記第２記録量とを決定することを特徴とする請求項３に記載の画像処理装置。
【請求項１０】
前記決定手段は、ユーザからの指示に基づいて、
前記記録量の第１組み合わせと前記記録量の第２組み合わせとのうち前記凸部の上に記録する前記有色記録材の総記録量が最も少ない組み合わせと、
前記記録量の第１組み合わせと前記記録量の第２組み合わせとのうち前記凸部の上に記録する前記有色記録材の総記録量が所定の閾値以下となる組み合わせであり、かつ、前記所定の閾値以下の組み合わせのうち前記凸部の上に記録する前記有色記録材の総記録量が最も多い組み合わせと、
前記記録量の第１組み合わせと前記記録量の第２組み合わせとのうち前記凸部の上に記録する前記有色記録材の平均粘度が最も高い組み合わせと、
の３つの組み合わせから１つの組み合わせを選択することによって前記第１記録量と前記第２記録量とを決定することを特徴とする請求項３に記載の画像処理装置。
【請求項１１】
前記記録量の第１組み合わせは前記第１記録量と前記第２記録量との複数の組み合わせであって、前記記録量の第２組み合わせは前記第１記録量と前記第２記録量との複数の組み合わせであることを特徴とする請求項１乃至請求項１０のいずれか一項に記載の画像処理装置。
【請求項１２】
前記決定手段は、前記記録量の第１組み合わせと前記記録量の第２組み合わせとから、前記凹部の上に記録する前記有色記録材の総記録量が最も多い組み合わせを選択することによって、前記第１記録量と前記第２記録量とを決定することを特徴とする請求項１乃至請求項１１のいずれか一項に記載の画像処理装置。
【請求項１３】
前記第１取得手段は、ユーザインタフェースを介して入力された前記色情報を取得することを特徴とする請求項１乃至請求項１２のいずれか一項に記載の画像処理装置。
【請求項１４】
前記第１方向の方位角と前記第２方向の方位角との差は９０度であることを特徴とする請求項１乃至請求項１３のいずれか一項に記載の画像処理装置。
【請求項１５】
前記決定手段は、
前記凸部の上に記録した前記有色記録材が前記凹部に流れ込まないように前記第１記録量を決定する指示を受け取った場合、前記記録量の第１組み合わせと前記記録量の第２組み合わせとから、所定の条件に応じて１つの組み合わせを選択することによって、前記第１記録量と前記第２記録量とを決定し、
前記凸部の上に記録した前記有色記録材が前記凹部に流れ込まないように前記第１記録量を決定する指示を受け取っていない場合、前記色情報に応じた所定の記録量の組み合わせを前記第１記録量と前記第２記録量との組み合わせとして決定することを特徴とする請求項１乃至請求項１４のいずれか一項に記載の画像処理装置。
【請求項１６】
記録媒体上の凹凸の凸部の上に有色記録材を用いて第１色を記録し、前記凹凸の凹部の上に前記有色記録材を用いて前記第１色と異なる第２色を記録するために、前記凸部の上に記録する前記有色記録材の第１記録量と前記凹部の上に記録する前記有色記録材の第２記録量とを決定する画像処理装置であって、
前記第１記録量と前記第２記録量との複数の組み合わせを取得する取得手段と、
所定の条件に応じて、前記複数の組み合わせから１つの組み合わせを選択することによって、前記第１記録量と前記第２記録量とを決定する決定手段と、
を有することを特徴とする画像処理装置。
【請求項１７】
前記凹凸を前記記録媒体上に形成するための第１形成データを取得する第３取得手段と、
前記決定手段によって決定された前記第１記録量と前記第２記録量とに基づいて、前記凹凸の上に前記有色記録材を記録することによって着色層を形成するための第２形成データを生成する生成手段と、
をさらに有することを特徴とする請求項１乃至請求項１５のいずれか一項に記載の画像処理装置。
【請求項１８】
前記第１形成データと前記第２形成データとに基づいて、前記記録媒体上に前記凹凸を形成し、形成された前記凹凸の上に前記着色層を形成する形成手段をさらに有することを特徴とする請求項１７に記載の画像処理装置。
【請求項１９】
前記形成手段は、光を照射することによって硬化するインクを用いて前記凹凸を形成し、有色インクを前記有色記録材として用いて前記着色層を形成することを特徴とする請求項１８に記載の画像処理装置。
【請求項２０】
コンピュータを請求項１乃至請求項１７のいずれか一項に記載の画像処理装置の各手段として機能させるためのプログラム。
【請求項２１】
記録媒体上の凹凸の上に複数種類の有色記録材を記録することによって少なくとも方位角が互いに異なる２つの方向から観察した場合に異なる色が視認される画像を形成するために、前記凹凸の凸部の上に記録する前記有色記録材の第１記録量と前記凹凸の凹部の上に記録する前記有色記録材の第２記録量とを決定する画像処理方法であって、
第１色と、前記第１色と異なる第２色と、を表す色情報を取得する第１取得ステップと、
前記色情報に基づいて、前記２つの方向のうち第１方向から前記画像を観察することによって前記第１色が視認され、前記２つの方向のうち第２方向から前記画像を観察することによって前記第２色が視認される場合の、前記凸部の上に記録される色と、前記凹部の上に記録される色と、の色の第１組み合わせを算出する第１算出ステップと、
前記色情報に基づいて、前記第１方向から前記画像を観察することによって前記第２色が視認され、前記第２方向から前記画像を観察することによって前記第１色が視認される場合の、前記凸部の上に記録される色と、前記凹部の上に記録される色と、の色の第２組み合わせを算出する第２算出ステップと、
前記色の第１組み合わせに基づいて、前記第１記録量と前記第２記録量との記録量の第１組み合わせを取得する第２取得ステップと、
前記色の第２組み合わせに基づいて、前記第１記録量と前記第２記録量との記録量の第２組み合わせを取得する第３取得ステップと、
前記記録量の第１組み合わせと前記記録量の第２組み合わせとから、所定の条件に応じて１つの組み合わせを選択することによって、前記第１記録量と前記第２記録量とを決定する決定ステップと、
を有することを特徴とする画像処理方法。
【請求項２２】
記録媒体上の凹凸の凸部の上に有色記録材を用いて第１色を記録し、前記凹凸の凹部の上に前記有色記録材を用いて前記第１色と異なる第２色を記録するために、前記凸部の上に記録する前記有色記録材の第１記録量と前記凹部の上に記録する前記有色記録材の第２記録量とを決定する画像処理方法であって、
前記第１記録量と前記第２記録量との複数の組み合わせを取得する取得ステップと、
所定の条件に応じて、前記複数の組み合わせから１つの組み合わせを選択することによって、前記第１記録量と前記第２記録量とを決定する決定ステップと、
を有することを特徴とする画像処理方法。
【発明の詳細な説明】
【技術分野】
【０００１】
本発明は、凹凸が形成された記録媒体上で色を再現するための画像処理技術に関する。
【背景技術】
【０００２】
近年、紫外線硬化樹脂インク（以下ＵＶインクと称す）を搭載したプリンタ（以下、ＵＶプリンタと称す）が市場に登場した。ＵＶプリンタは、紫外線を照射することによってＵＶインクを硬化させることができる。このＵＶプリンタを用いてＵＶインクの塗布と硬化を繰り返すことによって、プリント物表面に凹凸を形成する事ができる。プリント物表面の凹凸は、入射光の反射方向や反射強度などの反射特性に影響を与える。そのため、従来の色の制御に加えてプリント物表面の凹凸を制御することによって、プリント物の反射特性をコントロールすることができる。
【０００３】
凹凸と色とを制御することによってプリント物の反射特性をコントロールする技術として、特許文献１がある。特許文献１では、万線状の微細な凹凸を形成し、当該凹凸の凹部、凸部をそれぞれ異なる色で着色する技術が開示されている。特許文献１の技術によって形成されたプリント物は、観察角度によって観察者が視認する凸部と凹部の面積比が変わる。よって、プリント物を観察すると観察角度に伴い色の見えが変化する。
【先行技術文献】
【特許文献】
【０００４】
【特許文献１】特開２０１７−０５２１５４号公報
【発明の概要】
【発明が解決しようとする課題】
【０００５】
しかしながら、記録媒体上に記録する記録材は塗布後に濡れ拡がる特性があるため、凹凸の凸部の上に塗布された記録材は凹部に流れてしまう。このため、凸部と凹部とにおいて記録材を塗り分けることによって再現しようとした色を高精度に再現できないという課題がある。
【０００６】
本発明は、上記課題に鑑みてなされたものであり、表面に凹凸形状が形成された記録媒体において色を高精度に再現するための画像処理を提供することを目的とする。
【課題を解決するための手段】
【０００７】
上記課題を解決するために、本発明に係る画像処理装置は、記録媒体上の凹凸の上に複数種類の有色記録材を記録することによって少なくとも方位角が互いに異なる２つの方向から観察した場合に異なる色が視認される画像を形成するために、前記凹凸の凸部の上に記録する前記有色記録材の第１記録量と前記凹凸の凹部の上に記録する前記有色記録材の第２記録量とを決定する画像処理装置であって、第１色と、前記第１色と異なる第２色と、を表す色情報を取得する第１取得手段と、前記色情報に基づいて、前記２つの方向のうち第１方向から前記画像を観察することによって前記第１色が視認され、前記２つの方向のうち第２方向から前記画像を観察することによって前記第２色が視認される場合の、前記凸部の上に記録される色と、前記凹部の上に記録される色と、の色の第１組み合わせと、前記第１方向から前記画像を観察することによって前記第２色が視認され、前記第２方向から前記画像を観察することによって前記第１色が視認される場合の、前記凸部の上に記録される色と、前記凹部の上に記録される色と、の色の第２組み合わせと、を算出する算出手段と、前記色の第１組み合わせに基づいて、前記第１記録量と前記第２記録量との記録量の第１組み合わせを取得し、前記色の第２組み合わせに基づいて、前記第１記録量と前記第２記録量との記録量の第２組み合わせを取得する第２取得手段と、前記記録量の第１組み合わせと前記記録量の第２組み合わせとから、所定の条件に応じて１つの組み合わせを選択することによって、前記第１記録量と前記第２記録量とを決定する決定手段と、を有することを特徴とする。
【発明の効果】
【０００８】
本発明によれば、表面に凹凸形状が形成された記録媒体において色を高精度に再現することができる。
【図面の簡単な説明】
【０００９】
【図１】画像処理装置１のハードウェア構成を示す図
【図２】画像処理装置１の論理構成を示すブロック図
【図３】画像処理装置１が実行する処理のフローチャート
【図４】ＵＩ画面の例を示す図
【図５】異方性を再現するための凹凸形状の一例を示す図
【図６】有色インクの記録量の組み合わせの一例を示す図
【図７】有色インクの記録量の組み合わせを決定する処理のフローチャート
【図８】色変換テーブルの一例を示す図
【図９】形成データを生成する処理のフローチャート
【図１０】有色インクの記録量の組み合わせを決定する処理のフローチャート
【図１１】プリント物の仰角方向の変化に応じた見え方を説明する図
【図１２】再現対象物を異なる２つの幾何条件で撮像した様子を表す模式図
【図１３】色変換テーブルの一例を示す図
【図１４】有色インクの記録量の組み合わせを決定する処理のフローチャート
【図１５】有色インクの記録量の組み合わせを決定する処理のフローチャート
【発明を実施するための形態】
【００１０】
［実施例１］
＜画像処理装置１のハードウェア構成＞
本実施例における画像処理装置１について説明する。図１は画像処理装置１のハードウェア構成図である。画像処理装置１は、ＣＰＵ１０１、メインメモリ１０２、ＨＤＤ１０３、汎用インタフェース（Ｉ／Ｆ）１０４、ビデオインタフェース（Ｉ／Ｆ）１０５、メインバス１０６を備える。キーボードやマウス等の指示入力部１０７及び画像形成部１０８は、汎用Ｉ／Ｆ１０４を介してメインバス１０６に接続される。モニタ１０９は、ビデオＩ／Ｆ１０５を介してメインバス１０６に接続される。尚、画像処理装置１は、ＰＣ（Ｐｅｒｓｏｎａｌ  Ｃｏｍｐｕｔｅｒ）として説明するが、ＰＣに限るものではなく、マイクロコンピュータ等であってもよい。
【００１１】
ＣＰＵ１０１は、ＨＤＤ１０３に格納された各種ソフトウェア（コンピュータプログラム）を動作させることによって以下の各種処理を実行する。まず、ＣＰＵ１０１は、指示入力部１０７に対するユーザの指示により、ＨＤＤ１０３に格納されている画像処理アプリケーションを起動する。そして、画像処理アプリケーションをメインメモリ１０２に展開すると共にモニタ１０９にユーザインタフェース（ＵＩ）画面を表示する。続いて、ＨＤＤ１０３に格納されている各種データが、ＣＰＵ１０１からの指令に基づき、メインバス１０６を経由してメインメモリ１０２に転送される。メインメモリ１０２に転送された各種データについて、ＣＰＵ１０１からの指令により所定の演算処理が行われる。演算処理の結果は、メインバス１０６を経由して、モニタ１０９又は画像形成部１０８に送られる。尚、演算処理によって得られた結果（データ）は、画像形成部１０８やモニタ１０９に送らず、ＨＤＤや外部記憶装置などに記憶させておいてもよい。
【００１２】
上記ハードウェア構成において、ＣＰＵ１０１からの指令に基づき画像処理アプリケーションが実行する処理について説明する。図２は、本実施例における画像処理装置１の論理構成を示すブロック図である。画像処理装置１は、表示制御部２０１、取得部２０２、決定部２０３、生成部２０４、出力部２０５を有する。表示制御部２０１は、モニタ１０９に、ユーザからの指示入力を受け付けるためのＵＩ画面を表示させる。取得部２０２は、ＵＩ画面を介したユーザの指示入力に基づき、２つの色情報を取得する。決定部２０３は、取得した２つの色情報に基づいて、記録媒体上に形成する凸部の上に記録する有色インクの記録量の組み合わせと、凹部の上に記録する有色インクの記録量の組み合わせとを決定する。生成部２０４は、決定された記録量の組み合わせに基づき、記録媒体上に凹凸を形成し当該凹凸の上に有色インクを記録するための形成データを生成する。出力部２０５は、生成した形成データを画像形成部１０８やモニタ１０９などに出力する。尚、本実施例における画像形成部１０８は、ＵＶインクを搭載したＵＶプリンタであり、ＵＶインクの塗布と硬化とを繰り返すことによって、プリント物の表面に凹凸を形成する事ができるものとする。尚、本実施例ではＵＶプリンタをインクジェット方式のプリンタとして説明するが、電子写真方式のプリンタなど他の方式のプリンタを用いてもよい。
【００１３】
＜画像形成部１０８が形成するプリント物について＞
画像形成部１０８が形成するプリント物は、表面に図５（ａ）に示すような万線パターンの凹凸形状を有する。当該凹凸形状は凹部と凸部とを有し、凸部はＵＶインクを記録媒体上で硬化させることによって形成される領域であり、凹部は凸部を形成しない領域である。図５（ｂ）は、図５（ａ）に示すプリント物をｘ方向（視点１）から観察した場合に凸部によって遮蔽される領域を表す。図５（ｂ）のように視点１（ｘ方向）から観察した場合、凹部は凸部によって遮蔽される。よって、凹凸上に有色インクを記録した場合、観察者には凸部に記録された有色インクの色のみが視認される。一方で、視点２（ｙ方向）から観察した場合、凹部は凸部によって遮蔽されない。よって、凹凸上に有色インクを記録した場合、観察者には凸部に記録された有色インクの色と凹部に記録された有色インクの色との混色が視認される。以上のように、凸部と凹部とを異なる色を表す有色インクを用いて塗り分けることにより、方位角が異なる２つの方向で異なる色が視認されるプリント（以下、異方性プリントと称す）を形成することができる。尚、視点１は万線状の凸部に直交する方向から観察した場合の視点であり、視点２は万線状の凸部と並行する方向から観察した場合の視点である。また、視点１の方位角と視点２の方位角との差は９０度である。また、視点１の仰角は凹部が凸部によって遮蔽される角度とし、視点２の仰角は視点１の仰角と同じ角度とする。尚、本実施例における異方性は、方位角が異なる２つの方向で異なる色が視認される特性である。
【００１４】
＜画像処理装置１が実行する処理のフロー＞
図３は、画像処理装置１において実行される処理のフローチャートである。以下、図３を用いて画像処理装置１における動作の詳細を説明する。
【００１５】
まず、ステップＳ１において、表示制御部２０１は、ユーザからの画像処理を行うために必要な情報を受け付けるＵＩ画面をモニタ１０９に表示させる。図４（ａ）にＵＩ画面の一例を示す。指示入力部３０１は、２つの異なる方位角方向において再現する色を表す色情報（色情報１及び色情報２）を指示入力するための領域である。指示入力部３０２は、出力する画像の縦横の画素数を指示入力するための領域である。出力ボタン３０３は、形成データを生成し、当該生成データを画像形成部１０８に出力する処理を実行するためのボタンである。終了ボタン３０４は終了に関する動作を実行しＵＩ画面を閉じる。指示入力部３０１、３０２を介したユーザからの指示を受け付け、出力ボタン３０３の押下が指示されると、ステップＳ２に進む。
【００１６】
ステップＳ２において、取得部２０２は、ユーザにより指示入力された２つの異なる方位角方向において再現する色を表す色情報として、色情報１と色情報２とを取得する。色情報１が表す色と色情報２が表す色とは異なる２色である。本実施例における色情報は、ＣＩＥ三刺激値ＸＹＺとする。尚、色情報の形式はＣＩＥ三刺激値ＸＹＺに限定されず、例えば、ＲＧＢ値、ＣＩＥＬＡＢ値、ＣＩＥＣＡＭ０２値など他の形式でもよい。
【００１７】
ステップＳ３において、決定部２０３は、取得した色情報１と色情報２とを再現する異方性プリントを形成するために用いる複数種類の有色インクの記録量の組み合わせを決定する。ステップＳ３の具体的な処理については後述する。ステップＳ４において、生成部２０４は、ステップＳ３で決定した記録量の組み合わせに基づき、形成データを生成する。ステップＳ４の具体的な処理については後述する。ステップＳ５において、出力部２０５は、ステップＳ４で生成した形成データを画像形成部１０８に出力し、処理を終了する。
【００１８】
＜有色インクの記録量の組み合わせについて＞
ここでは、ステップＳ３における有色インクの記録量の組み合わせを決定する処理について説明する。まず、処理の流れの説明に先立ち、上述した異方性プリントを形成するための有色インクの記録量の組み合わせについて、図６を用いて説明する。図６に示すように、色情報１が表す色（ＸＹＺ１）と色情報２が表す色（ＸＹＺ２）とを方位角が異なる２つの方向で再現するための有色インクの記録量の組み合わせは２つ存在する。例えば、視点１においてＸＹＺ１、視点２においてＸＹＺ２を再現するためには、凸部に記録する有色インクの色（ＸＹＺ凸）によってＸＹＺ１を表現する必要がある。さらに、凸部と凹部とに記録する有色インクの色の混色（（ＸＹＺ凸＋ＸＹＺ凹）／２）によってＸＹＺ２を表現する必要がある。よって、凸部と凹部との面積が同一である場合、凸部に記録する有色インクの色と凹部に記録する有色インクの色とが以下の式（１）によって算出されるＸＹＺ凸とＸＹＺ凹となるように有色インクの記録量の組み合わせを決定する。
ＸＹＺ凸＝ＸＹＺ１
ＸＹＺ凹＝２ＸＹＺ２−ＸＹＺ１    ・・・式（１）
一方で、視点１においてＸＹＺ２、視点２においてＸＹＺ１を再現することもできる。その場合は、凸部に記録する有色インクの色（ＸＹＺ凸）によってＸＹＺ２を表現し、凸部と凹部とに記録する有色インクの色の混色（（ＸＹＺ凸＋ＸＹＺ凹）／２）によってＸＹＺ１を表現する必要がある。よって、凸部と凹部との面積が同一である場合、凸部に記録する有色インクの色と凹部に記録する有色インクの色とが以下の式（１）によって算出されるＸＹＺ凸とＸＹＺ凹となるように有色インクの記録量の組み合わせを決定する。
ＸＹＺ凸＝ＸＹＺ２
ＸＹＺ凹＝２ＸＹＺ１−ＸＹＺ２    ・・・式（２）
上述したように、色情報１が表す色と色情報２が表す色とのどちらの色を、方位角が異なる２つの方向のうちどちらの方向で再現するかを決めなければ、有色インクの記録量の組み合わせは２つ存在することになる。本実施例においては、凸部に記録する有色インクが凹部に流れづらくするため、上述した２つの組み合わせのうち凸部に記録する有色インクの総記録量がより少ない方の組み合わせを選択する。よって、詳細を後述する本実施例の処理においては、図４（ａ）に示すＵＩ画面で指示した色情報１が表す色と色情報２が表す色とを入れ替えても、同じ記録量の組み合わせを選択することになる。
【００１９】
このように、本実施例においては、色情報１と色情報２とを異なる方位角で再現する際、一方を凸部の有色インクの色で表現し、もう一方を凸部の有色インクと凹部の有色インクとの加法混色で表現する。一方の色を加法混色で表現するため、異なる方位角で表現できる色の組み合わせ（色情報１及び色情報２）には制限がある。例えば、赤色と桃色のように色相が同じで明度や彩度が異なる色の組み合わせは、凸部が赤色かつ凹部が白色、又は、凸部が桃色かつ凹部が暗赤色となるように、明度や彩度の異なる同色相のインクを用いることによって再現することができる。また、赤色と橙色のように色相は異なるが同系色の色の組み合わせについても、凸部が赤色かつ凹部が黄色、又は、凸部が橙色かつ凹部が赤紫色となるように、加法混色により色相が変化するインクの組み合わせを用いることによって再現することができる。しかし、例えば、赤色と緑色のように補色関係にある色の組み合わせや、白色と黒色のように明度が大きく離れている色の組み合わせを再現することはできない。これは、赤色や白色にどのような色を加法混色しても緑色や黒色にすることができないためである。
【００２０】
＜有色インクの記録量の組み合わせを決定する処理（ステップＳ３）＞
有色インクの記録量の組み合わせを決定する処理（ステップ３）の流れを図７を用いて説明する。図７は、ステップＳ３において実行される処理のフローチャートである。
【００２１】
ステップＳ３１において、画像形成部１０８の色変換テーブルを取得する。図８に示すように、本実施例における色変換テーブルは、画像形成部１０８が搭載する有色インクＣ（シアン）、Ｍ（マゼンタ）、Ｙ（イエロー）に対し、各インクの記録量に応じて再現される色（ＣＩＥ三刺激値ＸＹＺ）を表す。つまり、色変換テーブルは、有色インクの記録量ＣＭＹとＣＩＥ三刺激値ＸＹＺとが対応付けられたデータである。尚、この色変換テーブルは、有色インクの記録量を変えながら記録媒体上にパッチを形成し、形成されたパッチの色を測定することで予め作成しておき、ＨＤＤ１０３等の記憶装置に記憶させておく。
【００２２】
ステップＳ３２において、視点１で色情報１が表す色（ＸＹＺ１）、視点２で色情報２が表す色（ＸＹＺ２）を再現するために用いる有色インクの記録量の組み合わせを決定する。具体的には、まず、上述した式（１）によりＸＹＺ凸とＸＹＺ凹とを算出する。算出したＸＹＺ凸とＸＹＺ凹とを用いて、ステップＳ３１で取得した色変換テーブルから有色インクの記録量の組み合わせ（ＣＭＹ凸とＣＭＹ凹）を取得する。取得は、色変換テーブルから、立方体補間や四面体補間などの公知の補間処理を用いて、逆引きを行う。尚、視点１で色情報１が表す色（ＸＹＺ１）、視点２で色情報２が表す色（ＸＹＺ２）を再現するための有色インクの記録量の組み合わせが存在しない場合には、解なしとする。
【００２３】
ステップＳ３３において、視点１で色情報２が表す色（ＸＹＺ２）、視点２で色情報１が表す色（ＸＹＺ１）を再現するために用いる有色インクの記録量の組み合わせを決定する。具体的には、まず、上述した式（２）によりＸＹＺ凸とＸＹＺ凹とを算出する。算出したＸＹＺ凸とＸＹＺ凹とを用いて、ステップＳ３１で取得した色変換テーブルから有色インクの記録量の組み合わせ（ＣＭＹ凸とＣＭＹ凹）を取得する。取得は、色変換テーブルから、立方体補間や四面体補間などの公知の補間処理を用いて、逆引きを行う。尚、視点１で色情報２が表す色（ＸＹＺ２）、視点２で色情報１が表す色（ＸＹＺ１）を再現するための有色インクの記録量の組み合わせが存在しない場合には、解なしとする。
【００２４】
ステップＳ３４において、有色インクの記録量の組み合わせ（ＣＭＹ凸とＣＭＹ凹）が複数存在するか否かを判定する。複数存在する場合には、ステップＳ３５に進む。複数存在しない場合には、ステップＳ３６に進む。
【００２５】
ステップＳ３５において、ステップＳ３２において取得したＣＭＹ凸とＣＭＹ凹と、ステップＳ３３において取得したＣＭＹ凸とＣＭＹ凹とでより適切な記録量の組み合わせを選択する。具体的には、凸部に記録した有色インクが凹部に流れこむのを抑制するために、凸部に記録する有色インクそれぞれの記録量の総記録量が最も少なくなるＣＭＹ凸を選択する。選択されたＣＭＹ凸がステップＳ３２において取得したＣＭＹ凸である場合は、ＣＭＹ凹にステップＳ３３において取得したＣＭＹ凹を選択する。反対に、選択されたＣＭＹ凸がステップＳ３３において取得したＣＭＹ凸である場合は、ＣＭＹ凹にステップＳ３２において取得したＣＭＹ凹を選択する。このように、決定された凸部に記録する有色インクの記録量の組み合わせに基づいて凹部に記録する有色インクの記録量の組み合わせを決定することよって、凸部と凹部とで異なる色が表現される。本実施例においては、総記録量はＣ、Ｍ、Ｙの各記録量を加算した総量とする。以上の処理により、凸部に記録する有色インクが凹部に流れづらくなるため、２つの異なる方向で再現したい色の差が小さくなるのを抑制し、観察角度に伴う色の見えの変化が視認しやすくなる。
【００２６】
ステップＳ３６は、記録量の組み合わせが１つ又は存在しない場合の処理である。取得した記録量の組み合わせが１つの場合は、当該組み合わせを選択する。記録量の組み合わせが存在しない場合は、ＵＩ画面を介してモニタ１０９にエラーを表示させ、処理を終了する。
【００２７】
＜形成データを生成する処理（ステップＳ４）＞
図９は、ステップＳ４において実行される処理のフローチャートである。
【００２８】
ステップＳ４１において、ユーザによって指示入力部３０２を介して指示入力された出力する画像の縦横の画素数を取得する。本実施例においては、縦２００画素、横２００画素として以降の処理を説明する。ステップＳ４２において、ステップＳ３で決定された有色インクの記録量の組み合わせ（ＣＭＹ凸とＣＭＹ凹）を取得する。
【００２９】
ステップＳ４３において、ステップＳ４１で取得した縦横の画素数に対応した凹凸形状（凹凸層）を形成するための第１形成データを生成する。本実施例においては、形成する凹凸の高さ、周期が予め決められているものとし、高さ１１０μｍ、周期１０画素（１２００ｄｐｉで凹部、凸部がそれぞれ約１０６μｍ相当）として以降の処理を説明する。第１形成データは、画像形成部１０８で凹凸を形成するために必要な凹凸形成用インク（ＵＶインク）の記録量とその積層回数とを各画素に記録したデータである。画像形成部１０８がＵＶインクを１００％記録した際に得られる凸部の高さが２０μｍとすると、凸部に対応する画素は１００％を５回、５０％を１回の計６回の記録が必要となる。また、凹部に対応する画素は、高さが０μｍなのでＵＶインクの記録を必要としない。よって、凸部に対応する領域は記録量５５０％、凹部に対応する領域は記録量０％として５画素毎に切り替え、これを２０周期分繰り返した形成データを生成する。尚、本実施例で設定した高さ、周期は一例であり、実際には、プリント解像度や観察角度（仰角方向）に応じて自由に設定することができる。
【００３０】
ステップＳ４４において、凹凸層の上に有色インクによって着色層を形成するための第２形成データを生成する。具体的には、ステップＳ４２で取得した有色インクの記録量の組み合わせ（ＣＭＹ凸とＣＭＹ凹）から、凸部に対応する画素にはＣＭＹ凸を記録し、凹部に対応する画素にはＣＭＹ凹を記録した第２形成データを生成し、処理を終了する。尚、第２形成データは、有色インクの記録量を表すデータに限らない。例えば、有色インク量の記録量を用いて公知のハーフトーン処理及びパス分解を行い、その処理結果を記録した記録走査毎のバイナリーデータでもよい。
【００３１】
以上説明したように、表面に凹凸形状を有するプリント物を形成する際に、凸部の上に記録する有色インクの記録量を削減するため、総記録量が最少となる有色インクの組み合わせを選択した。これにより、凸部の上に記録したインクが凹部に流れづらくなるため、所望の色を高精度に再現できる。さらに、凹凸形状の上に異なる方向から観察した場合に色が異なって見えるように有色インクを記録することで、記録媒体上で色の異方性を再現することが可能となる。
【００３２】
尚、本実施例においては、画像形成部１０８が搭載する有色インクがＣＭＹの３色のインクであるため、凸部に記録する有色インクの記録量の組み合わせと凹部に記録する有色インクの記録量の組み合わせとが１つずつであるが、上記一例には限定されない。例えば、画像形成部１０８は、ＣＭＹインクに加えてＫ（ブラック）インクを搭載していてもよい。この場合、ＵＣＲ（Ｕｎｄｅｒ  Ｃｏｌｏｒ  Ｒｅｍｏｖａｌ；下色除去）により、凸部に記録する有色インクの記録量の組み合わせと凹部に記録する有色インクの記録量の組み合わせとはそれぞれ複数存在する。よって、ステップＳ３１において取得する色変換テーブルには、図１３のように、１つのＸＹＺについて複数のＣＭＹＫの組み合わせが対応づけられているテーブルを取得する。ステップＳ３２において、算出したＸＹＺ凸に対応する複数のＣＭＹＫ凸を取得し、算出したＸＹＺ凹に対応する複数のＣＭＹＫ凹を取得する。ステップＳ３３においてもステップＳ３２と同様である。そして、ステップＳ３５において、ステップＳ３２及びステップＳ３３のそれぞれにおいて複数取得したＣＭＹＫ凸から総記録量が最も少なくなるＣＭＹＫ凸を選択する。選択されたＣＭＹＫ凸がステップＳ３２において取得したＣＭＹＫ凸である場合は、ＣＭＹＫ凹にステップＳ３３において取得した複数のＣＭＹＫ凹から１つ選択する。反対に、選択されたＣＭＹＫ凸がステップＳ３３において取得したＣＭＹＫ凸である場合は、ＣＭＹＫ凹にステップＳ３２において取得した複数のＣＭＹ凹から１つ選択する。複数のＣＭＹＫ凹から１つのＣＭＹＫ凹を選択する際には、ＵＣＲ処理による粒状性の悪化を抑制するため、総記録量が最も多いＣＭＹＫ凹を１つ選択する。以上のように、画像形成部１０８が搭載するインクがＣＭＹの３色でなくても、本実施例を適用することが可能である。
【００３３】
［実施例２］
実施例１では、凹凸形状の凸部に記録する有色インクの記録量を少なくするため、凸部に記録する有色インクの総記録量が最も少なくなる組み合わせを選択する方法を説明した。本実施例では、凸部に記録する有色インクの粘度に基づいて、有色インクの記録量の組み合わせを決定する方法について説明する。本実施例における画像処理装置１のハードウェア構成、及び論理構成は実施例１と同様である。実施例１と異なるのは、ステップＳ３の有色インクの記録量の組み合わせを決定する処理である。よって、以下では、ステップＳ３における処理について詳細に説明する。
【００３４】
＜有色インクの記録量の組み合わせを決定する処理（ステップＳ３）＞
図１０は、ステップＳ３において実行される処理のフローチャートである。
【００３５】
ステップＳ５１において、画像形成部１０８の色変換テーブルを取得する。本実施例における色変換テーブルは、有色インクの記録量ＣＭＹと、ＣＩＥ三刺激値ＸＹＺ及び有色インクの粘度とが対応付けられたデータである。有色インクの粘度は、画像形成部１０８に搭載されている各有色インク（Ｃ、Ｍ、Ｙ）の粘度である。有色インクの粘度を表すデータは一般的に色材メーカーから提供されている。また、粘度計も市販されており、簡単に知ることが可能な値である。
【００３６】
ステップＳ５２は、実施例１におけるステップＳ３２と同じ処理であるため説明を省略する。ステップＳ５３は、実施例１におけるステップＳ３３と同じ処理であるため説明を省略する。ステップＳ５４において、有色インクの記録量の組み合わせ（ＣＭＹ凸とＣＭＹ凹）が複数存在するか否かを判定する。複数存在する場合には、ステップＳ５５に進む。複数存在しない場合には、ステップＳ５６に進む。
【００３７】
ステップＳ５５において、ステップＳ５２、ステップＳ５３において算出した有色インクの記録量の各組み合わせについて、凸部に記録する有色インクの平均粘度を算出する。各有色インクの粘度をＣｖ、Ｍｖ、Ｙｖ、記録量をＣａ、Ｍａ、Ｙａとすると、下記式（３）を用いて平均粘度Ｖを算出する。尚、式（３）では、有色インクの記録量に応じて重み付けをして粘度の平均値を算出している（加重平均）。
【００３８】
【数１】
2018182716.tif 000003
【００３９】
ステップＳ５６において、ステップＳ５５で算出した平均粘度を参照し、複数の有色インクの記録量の組み合わせの中から、凸部に記録する有色インクの平均粘度が最も高い組み合わせを１つ選択する。選択されたＣＭＹ凸がステップＳ５２において取得したＣＭＹ凸である場合は、ＣＭＹ凹にステップＳ５３において取得したＣＭＹ凹を選択する。反対に、選択されたＣＭＹ凸がステップＳ５３において取得したＣＭＹ凸である場合は、ＣＭＹ凹にステップＳ５２において取得したＣＭＹ凹を選択する。ステップＳ５７は、記録量の組み合わせが１つ又は存在しない場合の処理である。取得した有色インクの組み合わせが１つの場合は、当該組み合わせを選択する。記録量の組み合わせが存在しない場合は、ＵＩ画面を介してモニタ１０９にエラーを表示させ、処理を終了する。
【００４０】
以上説明したように、表面に凹凸形状を有するプリント物を形成する際に、凸部の上に記録する有色インクの平均粘度が最大である有色インクの組み合わせを選択した。これにより、凸部の上に記録したインクが凹部に流れづらくなるため、所望の色を高精度に再現できる。さらに、凹凸形状の上に異なる方向から観察した場合に色が異なって見えるように有色インクを記録することで、記録媒体上で色の異方性を再現することが可能となる。
【００４１】
尚、本実施例においては、画像形成部１０８が搭載する有色インクがＣＭＹの３色のインクである例を示したが、実施例１のように、画像形成部１０８が搭載する有色インクがＣＭＹＫの４色のインクであってもよい。
【００４２】
尚、本実施例においては、平均粘度が最大であるインクの組み合わせを選択したが、最低粘度が最大の組み合わせであってもよい。
【００４３】
［実施例３］
上記実施例では、色情報１が表す色と色情報２が表す色とのどちらの色を、方位角が異なる２つの方向のうちどちらの方向で再現するかを決めない例を説明した。本実施例では、視点１で色情報１が表す色（ＸＹＺ１）、視点２で色情報２が表す色（ＸＹＺ２）を再現すると予め指定されている例を説明する。つまり、本実施例における色情報１は、図５（ａ）に示した視点１からプリント物を観察した場合に再現する色を表し、色情報２は、視点２からプリント物を観察した場合に再現する色を表す。尚、本実施例における画像形成部１０８は、ＣＭＹＫの４色の有色インクを搭載しているものとする。本実施例における画像処理装置１のハードウェア構成、及び論理構成は実施例１と同様である。実施例１と異なるのは、ステップＳ３の有色インクの記録量の組み合わせを決定する処理である。よって、以下では、ステップＳ３における処理について詳細に説明する。
【００４４】
＜有色インクの記録量の組み合わせを決定する処理（ステップＳ３）＞
ここでは、ステップＳ３における有色インクの記録量の組み合わせを決定する処理について説明する。以下、ステップＳ３の処理の流れを図１４を用いて説明する。図１４は、ステップＳ３において実行される処理のフローチャートである。
【００４５】
ステップＳ１４１において、画像形成部１０８の色変換テーブルを取得する。図１３に示すように、本実施例における色変換テーブルは、画像形成部１０８が搭載する有色インクＣ（シアン）、Ｍ（マゼンタ）、Ｙ（イエロー）、Ｋ（ブラック）に対し、各インクの記録量に応じて再現される色（ＣＩＥ三刺激値ＸＹＺ）を表す。つまり、色変換テーブルは、有色インクの記録量ＣＭＹＫとＣＩＥ三刺激値ＸＹＺとが対応付けられたデータである。尚、この色変換テーブルは、有色インクの記録量を変えながら記録媒体上にパッチを形成し、形成されたパッチの色を測定することで予め作成しておき、ＨＤＤ１０３等の記憶装置に記憶させておく。
【００４６】
ステップＳ１４２において、ステップＳ２で取得した色情報１と色情報２とに基づいて、凸部に記録する有色インクの色（ＸＹＺ凸）と凹部に記録する有色インクの色（ＸＹＺ凹）とを算出する。図６における組み合わせ１のように、視点１で色情報１が表す色（ＸＹＺ１）、視点２で色情報２が表す色（ＸＹＺ２）を再現するためには、凸部に記録する有色インクの色（ＸＹＺ凸）によってＸＹＺ１を表現する必要がある。さらに、凸部と凹部とに記録する有色インクの色の混色（（ＸＹＺ凸＋ＸＹＺ凹）／２）によってＸＹＺ２を表現する必要がある。よって、凸部と凹部との面積が同一である場合、ＸＹＺ凸とＸＹＺ凹は上述した式（１）によって算出される。
【００４７】
ステップＳ１４３において、ステップＳ１４２で算出したＸＹＺ凸とＸＹＺ凹とに基づいて、有色インクの記録量（ＣＭＹＫ凸とＣＭＹＫ凹）を取得する。取得は、図１３に示す色変換テーブルから、立方体補間や四面体補間などの公知の補間処理を用いて、逆引きを行う。ここで扱う色変換テーブルは有色インクの記録量ＣＭＹＫに対するＣＩＥ三刺激値ＸＹＺを表し、有色インクＣＭＹに対して公知のＵＣＲ処理を行ったものである。そのため、ＸＹＺに対して複数のＣＭＹＫが存在することとなる。そこで、取得したＸＹＺに対するＣＭＹＫの全ての候補から、ステップＳ１４４において適切な組み合わせを選択する。
【００４８】
ステップＳ１４４において、ステップＳ１４３において取得されたＣＭＹＫの候補のうち、適切な記録量ＣＭＹＫの組み合わせを選択する。具体的には、凸部については、凸部に記録した有色インクが凹部に流れこむのを抑制するために、凸部に記録する有色インクそれぞれの記録量の総記録量が最も少なくなるＣＭＹＫ凸を選択する。凹部については、粒状性を悪化させないために、凹部に記録する有色インクそれぞれの記録量の総記録量が最も多くなるＣＭＹＫ凹を選択する。本実施例において、総記録量はＣ、Ｍ、Ｙ、Ｋの各記録量を加算した総量とする。以上の処理により、凸部に記録する有色インクが凹部に流れづらくなるため、２つの異なる方向で再現したい色の差が小さくなるのを抑制し、観察角度に伴う色の見えの変化を視認しやすくなる。
【００４９】
以上説明したように、ＣＭＹＫ４色を搭載したプリンタでは、ＵＣＲ処理により有色インクの記録量の組み合わせが複数算出される。本実施例では、このプリンタを用いて表面に凹凸形状を有するプリント物を形成する際に、凸部の上に記録する有色インクの記録量を削減するため、総記録量が最少となる有色インクの組み合わせを選択した。これにより、凸部の上に記録したインクが凹部に流れづらくなるため、所望の色を高精度で再現できる。さらに、凹凸形状の上に異なる方向から観察した場合に色が異なって見えるように有色インクを記録することで、記録媒体上で色の異方性を再現することが可能となる。
【００５０】
［実施例４］
実施例１及び実施例３では、凹凸形状の凸部に記録する有色インクの記録量を少なくするため、凸部に記録する有色インクの総記録量が最も少なくなる組み合わせを選択する方法を説明した。本実施例では、凸部に記録する有色インクの記録量について許容する最大の総記録量を設定し、設定された最大の総記録量以下の総記録量となる記録量の組み合わせを選択する方法について説明する。本実施例における画像処理装置１のハードウェア構成、及び論理構成は実施例１と同様である。実施例１と異なるのは、ステップＳ３の有色インクの記録量の組み合わせを決定する処理である。よって、以下では、ステップＳ３における処理について詳細に説明する。
【００５１】
＜有色インクの記録量の組み合わせを決定する処理（ステップＳ３）＞
図１５は、ステップＳ３において実行される処理のフローチャートである。
【００５２】
ステップＳ１４１、ステップＳ１４２、ステップＳ１４３は実施例３と同じであるため、説明を省略する。
【００５３】
ステップＳ１５４において、ステップＳ１４３において取得した有色インクの記録量の組み合わせのうち、凸部に記録する有色インクの総記録量が、許容する最大の総記録量（以下、許容量又は閾値と称す）を超えるかどうかの判定を行う。許容量はインクの粘度などの特性に基づいて、あらかじめ設定された値である。総記録量が許容量を超える組み合わせである場合、凸部に記録した有色インクが凹部に流れてしまうため、候補から取り除く。
【００５４】
ステップＳ１５５において、凸部に記録する有色インクの記録量の組み合わせの候補が１つ以上存在するかどうかの判定を行う。候補が存在しない場合には、凸部に記録する有色インクの総記録量を許容量以下に調整することができないため、ステップＳ１５７においてモニタ１０９にエラーを表示させるエラー出力を行う。候補が１つ以上存在する場合には、凸部に記録する有色インクの総記録量を許容量以下に調整することができるため、ステップＳ１５６において、適切な記録量の組み合わせの選択を行う。
【００５５】
ステップＳ１５６において、凸部に記録する有色インクの記録量の組み合わせの候補から、適切な記録量を選択する。具体的には、総記録量が許容量以下となる候補の中から、総記録量が最大となる組み合わせをＣＭＹＫ凸として選択する。凹部については、粒状性を悪化させないために、凹部に記録する有色インクそれぞれの記録量の総記録量が最も多くなるＣＭＹＫ凹を選択する。
【００５６】
ステップＳ１５７は、凸部に記録する有色インクの総記録量を許容量以下に調整することができない場合の処理である。この場合、ユーザが入力した色情報１及び色情報２について、許容量以下の総記録量となる有色インクを用いてプリントすることができないため、ＵＩ画面を介してモニタ１０９上にエラーを表示し、処理を終了する。
【００５７】
以上説明したように、表面に凹凸形状を有するプリント物を形成する際に、凸部に記録する有色インクの記録量の組み合わせのうち、閾値以下となる総記録量のうち最大となる総記録量となる記録量の組み合わせを選択するように構成した。この構成により、ＵＣＲ処理による粒状性の悪化を抑制しつつ、凸部に記録した有色インクが凹部に流れ難くなるために所望の色を高精度で再現できる。さらに、凹凸形状の上に異なる方向から観察した場合に色が異なって見えるように有色インクを記録することで、記録媒体上で色の異方性を再現することが可能となる。
【００５８】
尚、本実施例におけるステップＳ１５７では、ＵＩ画面を介してモニタ１０９上にエラーを表示する例を説明したが、上記一例には限定されない。ステップＳ１５７において、色情報１と色情報２とを入れ替えてステップＳ３の処理を再度行うか否かについて、ユーザの指示を受け付けるＵＩ画面を表示してもよい。色情報１と色情報２とを入れ替えてステップＳ３の処理を再度行うことを表すユーザの指示が入力された場合、色情報１と色情報２とを入れ替えてステップＳ３の処理を再度行う。色情報１と色情報２とを入れ替えてステップＳ３の処理を再度行わないことを表すユーザの指示が入力された場合、処理を終了する。
【００５９】
［変形例］
＜変形例１＞
上記実施例においては、凸部に記録する有色インクの総記録量が最も少なくなる組み合わせを選択する方法などを説明したが、上記の方法に限定されない。例えば、粒状性と有色インクの記録量の許容量とを考慮して、記録量の組み合わせを決定してもよい。この場合、有色インクの記録量を変えながら記録媒体上にパッチを形成し、当該パッチについて粒状性を予め評価しておく。
【００６０】
＜変形例２＞
実施例３及び実施例４においては、画像形成部１０８に搭載されている有色インクがＣ、Ｍ、Ｙ、Ｋの４種として説明したが、上記一例に限定されない。Ｃ、Ｍ、Ｙ、Ｋに加えてＬｃ（ライトシアン）、Ｌｍ（ライトマゼンタ）等の低濃度インクを用いてもよい。この場合、ＬｃをＣに、ＬｍをＭに置き換えるなどの濃淡分解を行うことによって、有色インクの記録量の組み合わせが増えることになる。その組み合わせから、例えば、総記録量が最少となる有色インクの記録量の組み合わせを選択すればよい。尚、上述した低濃度インク以外にもＲ（赤）インク、Ｇ（緑）インク、Ｂ（青）インクなどの特色インクを用いてもよい。
【００６１】
＜変形例３＞
上記実施例においては、記録媒体上に形成する凹凸の凸部と凹部の面積が同一である場合を例に説明したが、凸部と凹部の面積が異なっていても良い。この場合、例えば、凸部と凹部との面積比がｎ：１とすると、式（１）を一般化した式（４）によってＸＹＺ凸とＸＹＺ凹を算出することができる。
ＸＹＺ凸＝ＸＹＺ１
ＸＹＺ凹＝（ｎ＋１）ＸＹＺ２−ｎＸＹＺ１    ・・・式（４）
また、式（２）も同様に一般化できる。
【００６２】
＜変形例４＞
上記実施例においては、方位角が異なる２つの視点からプリント物を観察した場合に再現する色を入力するように説明したが、上記一例には限定されない。図１１に示すように、表面に凹凸形状を有するプリント物は視点の仰角方向の変化によっても見え方が変化するため、仰角が異なる２つの視点からプリント物を観察した場合に再現する色を入力しても良い。
【００６３】
＜変形例５＞
上記実施例においては、２つの色情報を図４（ａ）に示すＵＩ画面を用いて直接数値を指示入力させるような構成を説明したが、画像データにより入力させることもできる。例えば、第１画像データと第２画像データとして２つの画像データを入力させ、第１画像データの各画素に記録された色情報を色情報１とし、第２画像データの各画素に記録された色情報を色情報２とする。また、色情報１と色情報２とが各画素に記録された６チャネルの画像データを１つ入力して用いてもよい。また、各画素に色情報１が記録された画像データを入力し、色情報２にはＵＩ画面を用いてユーザに入力された数値を用いてもよい。このように画像データが入力される場合は、上述した実施例の処理を画素ごとに適用することになり、位置（領域）ごとに異なる異方性を持つプリント物を形成することができる。
【００６４】
画像データを入力する場合は、予め画像データを生成しＨＤＤ１０３等の記憶装置に記憶させておく。画像データとしては、例えば、図１２に示すように、幾何条件１で再現対象物を撮像して得られた画像データと、幾何条件２で再現対象物を撮像して得られた画像データとの２つの画像データを用いることができる。尚、幾何条件による差分はアフィン変換など公知の歪み補正処理によって補正する。また、画像データは撮像画像に限らず、ＵＩ画面を介したユーザの指示入力によって生成した画像データなどでもよい。
【００６５】
＜変形例６＞
上記実施例においては、有色記録材として有色インクを用いたが、上記一例に限定されない。例えば、有色記録材として有色トナーを用いてもよい。また、凹凸形成用インクとして紫外線硬化樹脂インク（ＵＶインク）を用いたが、紫外線以外の光で硬化するインクを用いてもよい。
【００６６】
＜変形例７＞
上記実施例においては、第１形成データと第２形成データとを生成する例を説明したが、上記一例に限定されない。例えば、予め生成しＨＤＤ１０３等の記憶装置に記憶させておいた第１形成データを取得し、第１形成データと決定された有色インクの記録量の組み合わせとに基づいて、第２形成データを生成してもよい。また、第１形成データと第２形成データとのどちらも生成せずに、決定された有色インクの記録量の組み合わせを表す情報を直接出力してもよい。
【００６７】
＜変形例８＞
実施例１、３、４においては凸部に記録する有色インクの総記録量、実施例２においては凸部に記録する有色インクの平均粘度に基づいて、有色インクの記録量の組み合わせを決定していたが、上記例には限定されない。例えば、総記録量と平均粘度との両方に基づいて組み合わせを決定してもよい。例えば、総記録量の評価値と平均粘度の評価値とを加重平均し、評価が高くなる有色インクの記録量の組み合わせを選択する。また、総記録量や粘度以外のインク特性によって流れづらい有色インクの記録量の組み合わせを決定するようにしても良い。例えば、有色インクの表面張力等が適用できる。
【００６８】
＜変形例９＞
上記実施例においては、色情報１と色情報２とを１つずつ入力し、各色情報が表す色を形成する画像全体に適用する例を説明したが、上記一例には限定されない。画像の領域ごとに２つの色情報を変えてもよい。例えば、画像の第１領域では色情報１が赤色、色情報２が緑を表し、画像の第１領域以外の第２領域では色情報１が青、色情報２が黄色を表すようにしてもよい。領域を区切る方法としては、例えば、ＵＩ画面を介したユーザの指示に基づいて区切ることができる。また、画像データを入力し、画像データが表す画像内のオブジェクトを検出し当該オブジェクト間の境界で区切る方法でもよい。
【００６９】
＜変形例１０＞
上記実施例においては、凹凸形状を画像全体に形成する例について説明したが、画像の一部だけに凹凸形状を形成してもよい。この場合、例えば、ＵＩ画面を介したユーザの指示に基づいて、凹凸形状を形成する領域と凹凸形状を形成しない領域とを表す２値データを生成する。当該２値データが表す凹凸形状を形成しない領域に対応する第１形成データの領域のＵＶインクの記録量を０％にする。当該２値データが表す凹凸形状を形成しない領域に対応する第２形成データの領域については決定された記録量の組み合わせであるＣＭＹ凸とＣＭＹ凹とのどちらかの記録量を各画素に記録するように、第２形成データを生成すればよい。
【００７０】
＜変形例１１＞
上記実施例においては、万線パターンの凹凸形状を形成する例について説明したが、上記一例には限定されない。方位角方向に観察角度を変化させた場合に色の見えが異なるプリント物を形成できればどのような凹凸形状であってもよい。例えば、画像の領域ごとに底面の縦横比が異なる凸部が複数配置されて形成される凹凸形状であってもよい。
【００７１】
＜変形例１２＞
実施例１及び実施例３においては、総記録量が最少となる凸部に記録する有色インクの記録量の組み合わせを選択した。実施例２においては、平均粘度が最大となる凸部に記録する有色インクの記録量の組み合わせを選択した。実施例４においては、総記録量が許容量以下となる候補の中から、総記録量が最大となる凸部に記録する有色インクの記録量の組み合わせを選択した。上記例を組み合わせて用いてもよい。例えば、複数の記録量の組み合わせから１つの組み合わせを選択するステップにおいて、総記録量が最少となるという観点で最適な組み合わせ、平均粘度が最大となるという観点で最適な組み合わせなど、各観点で最適な組み合わせをＵＩ画面に表示する。そしてどの観点で最適な組み合わせを凸部に記録する有色インクの記録量の組み合わせとして選択するかのユーザからの指示を図４（ｂ）に示すＵＩ画面を介して受け付ける。具体的には、指示入力部３０５において、どの観点で最適な組み合わせを凸部に記録する有色インクの記録量の組み合わせとして選択するかをユーザに指定させる。その後、実行ボタン３０６の押下が指示されると、指示入力部３０５において受け付けた指示入力に基づいて、凸部に記録する有色インクの記録量の組み合わせを選択する。尚、ＵＩは図４（ｂ）に限らず、例えば、ユーザに直観的な入力をさせるために、図４（ｃ）のようなＵＩを表示してもよい。この場合、指示入力部３０７において、色再現モードや粒状性悪化抑制モードのどちらのモードかをユーザに指定させる。その後、実行ボタン３０８の押下が指示されると、指示入力部３０７において受け付けた指示入力に基づいて、凸部に記録する有色インクの記録量の組み合わせを選択する。色再現モードは、総記録量が最少となるという観点又は平均粘度が最大となるという観点で最適な組み合わせを選択するモードである。粒状性悪化抑制モードは、総記録量が許容量以下となる候補の中から、総記録量が最大となるという観点で最適な組み合わせを選択するモードである。
【００７２】
また、予めステップＳ１において、色情報及び画素数の他に、上記の各観点の優先度（優先順位）についてユーザからの指示をＵＩ画面を介して受け付けてもよい。この場合、当該優先度に従って、最も優先度の高い観点で最適な組み合わせを探し、最適な組み合わせが存在しなければ次に優先度の高い観点で最適な組み合わせを探すようにする。
【００７３】
＜変形例１３＞
上記実施例においては、２つの異なる方位角方向において再現する色を表す色情報（色情報１及び色情報２）を入力し、色情報１及び色情報２からＸＹＺ凸及びＸＹＺ凹を算出する例を説明したが、上記一例に限定されない。例えば、色情報１及び色情報２を用いずに直接ＸＹＺ凸及びＸＹＺ凹を入力してもよい。この場合、色情報１及び色情報２を入力する場合と同様に、図４（ａ）のようなＵＩ画面を介して、ＸＹＺ凸及びＸＹＺ凹に関するユーザの指示入力を受け付ける。尚、ここで入力する２色は異なる２色であれば良く、どちらの色が凸部の上に記録する色であり、どちらの色が凹部に記録する色であるかを決めておく必要はない。この場合、異なる２色のうち一方の色がＸＹＺ凸となり、他方の色がＸＹＺ凹となるため、有色インクの記録量の組み合わせは少なくとも２つ存在することになる。尚、入力された２色が同じ色であった場合、モニタ１０９にエラーを表示させてもよい。
【００７４】
＜変形例１４＞
上記実施例においては、複数の組み合わせの中から凸部に記録する有色インクの記録量の１つの組み合わせを選択したが、処理は上記一例に限定されない。例えば、ユーザからの指示に応じて上記組み合わせの選択を行うか否かを決めてもよい。具体的には、上記組み合わせの選択を行うモードか、予め決められた１つの組み合わせを用いるモードか、をユーザに指定させるＵＩを表示する。ＵＩを介したユーザからの指示に応じて上記実施例における処理を適用するか否かを決定する。また、以下に説明する処理であってもよい。色情報に対して有色インクの記録量の組み合わせを予め１つ保持ずつしておき、取得した色情報に対応する記録量の組み合わせが総記録量や粘度の観点で許容できるか否かを判定する。許容できないと判定された場合は、取得した色情報に対する複数の組み合わせを算出して、複数の組み合わせから１つの組み合わせを選択する。許容できる場合は、予め保持していた組み合わせを有色インクの記録量の組み合わせとして決定する。
【００７５】
［その他の実施例］
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７６】
１  画像処理装置
２０２  取得部
２０３  決定部
【図１】
2018182716.tif 000004
【図２】
2018182716.tif 000005
【図３】
2018182716.tif 000006
【図４】
2018182716.tif 000007
【図５】
2018182716.tif 000008
【図６】
2018182716.tif 000009
【図７】
2018182716.tif 000010
【図８】
2018182716.tif 000011
【図９】
2018182716.tif 000012
【図１０】
2018182716.tif 000013
【図１１】
2018182716.tif 000014
【図１２】
2018182716.tif 000015
【図１３】
2018182716.tif 000016
【図１４】
2018182716.tif 000017
【図１５】
2018182716.tif 000018